(57)【要約】【課題】  台紙に一端が台紙と連続するように設けたリング状綴じ片によりカレンダー紙葉を綴じてから、綴じ片をリング状に折曲げて、先端の係止フックを台紙の裏側からスリット内を通して表側へ装着できる紙製カレンダーを提供する。【解決手段】  台紙１２の上辺部に、この上辺と平行な向きの折曲げ線１８と、この折曲げ線１８の両端に、この折曲げ線の長さを延長できる鉤状舌片１９とを設け、この折曲げ線１８の下方には、舌片１９の内側の直線を起点として下方へ延出する一対の切込み線２０と、この切込み線２０の先端に横幅の大きい係止フック２１を設けたリング状綴じ片１７とを備える。【選択図】  図１
0003122502.tif 000002
【実用新案登録請求の範囲】
【請求項１】
上辺に間隔をおいて複数個のスリットを開設した複数枚の紙葉と、これらの紙葉を綴じるための台紙とからなるカレンダーにおいて、
前記台紙は、上辺の下方に紙葉を綴じるための複数個のリング状綴じ片を有しており、これらのリング状綴じ片は、それぞれ下端が台紙と接続され、上端が台紙から開放される鉤状舌片を両端に切り込むことで、長さを延長させた折曲げ線と、この折曲げ線における鉤状舌片の内側の直線部を起点として台紙上辺と直交する向きで下方向へ延出する一対の切込み線とによって、紙葉のスリット内を通して台紙の上辺方向へリング状に巻き込める長さとを有し、先端には、折曲げ線の両端にそれぞれの鉤状舌片の幅間隔を加えた長さよりも横幅の大きい係止フックとを備えていることを特徴とするカレンダー。
【請求項２】
複数枚の紙葉を綴じるための台紙が、リング状綴じ片を設けた表台紙と、紙葉を綴じた後のリング状綴じ片係止フックを挿通するための裏台紙とからなる卓上カレンダー用のものである請求項１のカレンダー。
【請求項３】
複数枚の紙葉を綴じるための台紙が、台紙から折り曲げたリング状綴じ片により紙葉を綴じた後に、リング状綴じ片の係止フックを、綴じ片折曲げ線の両端の鉤状舌片によって設けられる折曲げ線下方の空間内を通して台紙の表側へ突出させた壁掛け用のものである請求項１のカレンダー。
【考案の詳細な説明】
【技術分野】
【０００１】
本考案は、複数枚のカレンダー紙葉を、金具や合成樹脂系接着剤を用いずに、台紙の上辺に設けた紙製綴じ具により綴じることができて、年末の廃棄時に公害問題の発生を抑制できるようにしたカレンダーの改良に関するものである。
【背景技術】
【０００２】
従来より、カレンダーとしては、複数枚の紙葉の上辺を金属製締め金具あるいは合成樹脂製接着剤により綴じる構造のもの、あるいは、複数枚の紙葉を断面山形状に組み立てた台紙上に配置して、各紙葉の上辺を台紙の上辺に金属製リング、あるいは合成樹脂製リング等によって綴じ込んだ構造のものが広く知られている。
【０００３】
しかし、各紙葉の上辺を綴じる手段として、金属製締め金具、合成樹脂製接着剤、あるいは金属もしくは合成樹脂製リング等を使用するものでは、使用後の廃棄に際して焼却できないという問題とか、焼却すると有害ガスが発生して環境衛生上好ましくないという問題点が指摘されており、このような観点から、綴じ具材として金属や合成樹脂製の素材を用いずに、全て紙だけの素材により製造できるカレンダーの出現が望まれている。
【０００４】
従来においても紙だけを素材とするカレンダーとしては、カレンダー紙葉の背面に配置する台紙の上辺部に、両端に開設した小孔内空間によって長さを延長させた折曲げ線と、この折曲げ線を起点として台紙上辺と直交する向きで下方へ延出する一対の切込み線とによって、紙葉のスリット内を通して台紙の上辺方向へリング条に巻き込める長さと、先端に紙葉のスリットの長さよりも横幅の大きい係止フックとを設けたリング状綴じ片を設けるようにしたカレンダーの構造が知れている（特許文献１参照）。
【０００５】
【特許文献１】実用新案登録第３１１１７０６号公報
【考案の開示】
【考案が解決しようとする課題】
【０００６】
特許文献１に示されたカレンダーでは、図１２に示すように、台紙１の上辺部に、両端に開設した小孔内空間Ａによって長さを延長させた折曲げ線２と、この折曲げ線２を起点として台紙上辺１ａと直交する向きで下方へ延出する一対の切込み線３とによって、下端に、小孔内空間Ａを含めることで長さの延長された折曲げ線２よりも横幅の大きい、係止フック４とを有するリング状綴じ片５を設けるので、それぞれのリング状綴じ片５の上部両端に、折曲げ線２の長さを延長するための手段として、折曲げ線の両端に小さい円孔６が開設されていた。
【０００７】
しかし、この折曲げ線の長さを延長するための手段として、折曲げ線２の両端に小さい円孔６を開設する構造では、カレンダーの組み立てに際して、リング状綴じ片５を一対の切込み線３から切り抜いた時、上方の折曲げ線２の長さを延長する目的で、折曲げ線２の両端に設けた小さい円孔６が塞がれたままとなっているので、これらの円孔６を塞いでいる円形小片６ａを一個ずつ手作業により取り除かねばならず、円形小片を除去する作業に手間と時間を必要とするという問題、製品中にごみが残留しないように検査をきびしくする必要があるという問題、さらには、ごみが発生するという問題等、作業能率がいちじるしく阻害されるという問題を有していた。
【課題を解決するための手段】
【０００８】
本考案は、特許文献１に示された、従来におけるこの種のカレンダーの問題点を解消するために、リング状綴じ片を一対の切込み線から切り抜く時に、折曲げ線の両端に小さい円孔が設けられていなくても、リング状綴じ片上部の折曲げ線の長さを延長できるようにした紙製カレンダーの構造を目的する。
【０００９】
本考案のカレンダーは、そのための具体的手段として、上辺に間隔をおいて複数個のスリットを開設した複数枚の紙葉と、これらの紙葉を綴じるための台紙とからなるカレンダーにおいて、前記台紙は、上辺の下方に紙葉を綴じるための複数個のリング状綴じ片を有しており、これらのリング状綴じ片は、それぞれ下端が台紙と接続され、上端が台紙から開放される鉤状舌片を両端に切り込むことで、長さを延長させた折曲げ線と、この折曲げ線における鉤状舌片の内側の直線部を起点として台紙上辺と直交する向きで下方向へ延出する一対の切込み線とによって、紙葉のスリット内を通して台紙の上辺方向へリング状に巻き込める長さとを有し、先端には、折曲げ線の両端にそれぞれの鉤状舌片の幅間隔を加えた長さよりも横幅の大きい係止フックとを備えていることを特徴とする。
【考案の効果】
【００１０】
本考案のカレンダーは、紙葉を綴じるための台紙の上辺下方に、リング状綴じ片を設けるに際し、両端にそれぞれ鉤状舌片を切り込むことで長さを延長させた折曲げ線と、この折曲げ線における鉤状舌片の内側の直線部を起点として台紙上辺と直交する向きで下方向へ延出する一対の切込み線を設けるようにしたので、カレンダーの組み立ての際、リング状綴じ片を一対の切込み線から切り抜いた時、綴じ片の上部は、それぞれ鉤状舌片の外側の直線の位置まで折曲げ線の長さが延長されることになるが、折曲げ線の両端には円孔が開設されていないので、円孔を取り除く作業とごみの発生を防止することができ、組み立て作業を能率的に行うことができる。
【考案を実施するための最良の形態】
【００１１】
台紙の上辺部に設けられるリング状綴じ片としては、折曲げ線の両端に設けられる鉤状舌片を、上端が半円形の逆Ｕ字形とすることが好ましい。この折曲げ線の下方へ延出する一対の切込み線は、鉤状舌片の内側の直線部を起点として台紙上辺と直交する向きで下方向へ延出するような形状とすることが好ましい。
【実施例】
【００１２】
次に、本考案に係るカレンダーの構造を、図１に示すような卓上カレンダーについて実施した例を説明すると、この考案のカレンダーは、例えば、複数枚のカレンダー紙葉１１と、これらの紙葉１１を保持するための厚手の台紙１２とから基本的に構成されており、図１は複数枚のカレンダー紙葉１１を上方へ持ち上げた状態で、台紙１２の形状と、台紙１２の表側に綴じられるリング状綴じ片１７の形状と、このリング状綴じ片１７による綴じ方とを順に説明している。
【００１３】
図２のように、台紙１２は、所定の大きさの厚紙の中央部に折り線１３を設けて、この折り線１３の両側に表台紙１２ａと裏台紙１２ｂとが設けられており、さらに、表台紙１２ａの外側には折り線１４を介して突片１５ｂをもった底板１６ａ、及び裏台紙１２ｂの外側には同様な折り線１４を介して止め孔１５ａをもった底板１６ｂとが設けられていて、これらの突片１５ａと止め孔１５ｂとを接合することで底板１６ａ、１６ｂが重合され、全体が断面山形状に組み立てられるように構成される。
【００１４】
表台紙１２ａには、折り線１３のやや下方に、折曲げ線１８、鉤状舌片１９、切込み線２０及び係止フック２１とを備えたリング状綴じ片１７が、それぞれ間隔をおいて複数個設けられている。
【００１５】
また、図１及び図２に示すように、裏台紙１２ｂには、折り線１３のやや下方に、前記表台紙１２ａに設けられた、リング状綴じ片１７の係止フック２１が差し込まれるための係止スリット２２が設けられている。この係止スリット２２は、前記リング状綴じ片１７における鉤状舌片１９の内幅とほぼ同じ程度の幅Ｒ２と、鉤状舌片１９，１９内の空間を含めた折曲げ線１８の長さＷ２とほぼ等しい長さＲ１を有するように開設されている。
【００１６】
一方、紙葉１１は、上辺１１ａのやや下方に、前記裏台紙２ｂの係止スリット２２と同様に、前記表台紙１２ａに設けられたリング状綴じ片１７を挿通することのできるような複数個のスリット２３が、互いに所定の幅間隔をおいて配置されるように開設されている。
【００１７】
表台紙１２ａの上辺部に設けられるリング状綴じ片１７は、図４に示すように、表台紙１２ａの折り線１３より下方の、前記紙葉１１のスリット２３と対応する高さ位置に、それぞれ台紙折り線１３と平行な向きに設けられた折曲げ線１８と、この折曲げ線１８の両端部から、折り線１３と直交する向きで下方向へ延びるように、紙葉１１のスリット２３内へ挿通可能な幅Ｗ１をもった一対の切込み線２０、２０を設けることによって形成されている。
【００１８】
図４に示すように、リング状綴じ片１７を形成するための前記折曲げ線１８の両端と、同じくリング状綴じ片１７を形成する一対の切込み線２０，２０の上端とがそれぞれ交わる部分には、一対の鉤状舌片１９、１９が対称的な配置のもとに切り込まれていて、これらの舌片１９，１９の切り込み線によって、折曲げ線１８の長さが、本来の長さＬよりも、それぞれの鉤状舌片１９内の空間を含めた分の実質的な長さＷ２に、延長されるようになっている。
【００１９】
紙葉１１に設けられるリング状綴じ片１７を挿通するためのスリット２３は、その長さＲ１（図２参照）が、図４に示すように、表台紙１２ａに設けられる両鉤状舌片１９，１９の内側の空間によって延長される折曲げ線１８の長さＷ２とほぼ等しい寸法になっている。
【００２０】
前記折曲げ線１８の両端から台紙折り線１３と直交する向きで下方へ延びる切込み線２０の下端には、前記折曲げ線１８の両端における一対の鉤状舌片１９内の空間によって延長された長さＷ２よりも、大きい横幅Ｗ３の突片１４をもった係止フック２１が設けられている。なお、この係止フック２１の前縁２１ａは、ドーム状曲面のように膨出した形状とすることが好ましい。
【００２１】
また、リング状綴じ片１７は、図１に示すように、折曲げ線１８を起点として表台紙１２ａの前面方向へ折り曲げられてから、先端の係止フック２１を各紙葉１１のスリット２３内へ挿通し、次いで台紙折り線１３の上方で裏台紙１２ｂの表面方向へリング状に巻回して、係止フック２１を裏台紙１２ｂの係止スリット２２内へ差し込むことができるような長さＨを有している。
【００２２】
リング状綴じ片１７の係止フック２１を紙葉１１のスリット２３内へ挿通する際には、まず図５ａに示すように、係止フック２１における一方の突片２４ａがスリット２３内の一方側へ挿入できるように差し込む。次に、図５ｂのように、リング状綴じ片１７を前記突片２４ａが差し込まれた方向へ移動することで、他方の突片２４ｂをスリット１３内の他方側へ挿入できる姿勢とし、両方の突片２４ａ，２４ｂをスリット２３内へ貫通してから、図５ｃのように、リング状綴じ片１７をスリット２３に対する正しい位置へ戻すように移動する。
【００２３】
表台紙１２ａにおける折曲げ線１８は、両端が一対の鉤状舌片１９，１９上端に接続されることで、実質的に左右の舌片１９，１９の横幅分の長さが加えられた長さＷ２であればよいが、この折曲げ線１８は、図４に示すように、両端部に開設された一対の舌片１９，１９の上端と接続する位置をそれぞれ接点Ｐとする接線上に設けられていることが好ましい。また、リング綴じ片１７の両側縁を形成する一対の切込み線２０，２０は、同様に一対の舌片１９，１９の内側直線部との接続点Ｑを介して、折曲げ線１８と直交する下向き方向へ平行に延出した形状とすることが好ましい。
【００２４】
図１は、表台紙１２ａに設けられたリング状綴じ片１７の形状と組み立て方を、右から左へ向けて順次説明したものであり、最も右側のリング状綴じ片１７Ａは、表台紙１２に折曲げ線１８を起点とする切込み線２０，２０と係止フック２１とが切り込まれた時の形状を示しており、その隣のリング状綴じ片１７Ｂは、上端の折曲げ線１８を起点にして下端の係止フック２１を表台紙１２ａの前面方向へ引き出した状態を示している。
【００２５】
さらに、その左隣のリング状綴じ片１７Ｃは、下端の係止フック２１を表台紙１２ａの前面に配置する紙葉１１の上部に設けられたスリット２３内へ挿通する前の状態を示している。そして最も左側のリング状綴じ片１７Ｄは、リング状綴じ片１７Ｄにより表台紙１２と紙葉１１とが綴じられた状態を示しており、その時係止フック２１は、紙葉１１のスリット２３内へ挿通された後に、裏台紙１２ｂの方向へリング状に巻回してから、裏台紙１２ｂの係止スリット２２内へ挿着される。
【００２６】
リング状綴じ片１７の係止フック２１を裏台紙１２ｂの係止スリット２２内へ挿着する際には、図５に示したように、係止フック２１を紙葉１１のスリット２３内へ挿通するときと同様の要領で行えばよい。
【００２７】
図４のように、表台紙１２ａのリング状綴じ片１７は、折曲げ線１８の両端に一対の鉤状舌片１９，１９が設けられているので、このリング状綴じ片１７を、図１に示すリング状綴じ片１７Ｃのように折曲げ線１８により上方へ折り曲げると、折曲げ線１８の両端下方に鉤状舌片１９，１９が位置している。
【００２８】
図６に示すように、この鉤状舌片１９、１９は、内側と外側の２本の縦向きの切り込み線１９ａ，１９ｂと、これらの上端を結ぶ切り込み線１９ｃとにより形成され、下端１９ｄが表台紙１２ａと連続しているので、表台紙１２ａの表裏両面方向へ自由に動かすことができ、これによって折曲げ線１８の下方に幅の広い空間Ｍが形成される。
【００２９】
そのため、図７に示すように、リング状綴じ片１７の係止フック２１を、裏台紙１２ｂの係止スリット２２内へ挿通したのちに、さらに表台紙１２ａにおけるリング状綴じ片１７の折曲げ線１８の下方空間内を通して、表台紙１２ａの表面側へ突出するように挿着すれば、リング状綴じ片１７による、より確実な連結効果を得ることができる。
【００３０】
図８は、本考案のカレンダーを壁掛け用に適用した場合の構成を示すものである。この場合は、複数枚の紙葉１１を一枚の台紙１２ｃの上端部に、吊り下げる点が先の実施例と相違するだけであり、台紙１２ｃに設けられるリング状綴じ片１７の形状は先の実施例で述べたものと同様である。
【００３１】
この壁掛け用カレンダーでは、台紙１２ｃからリング状綴じ片１７を引き出してリング状に折り曲げてから、係止フック２１を、紙葉１１のスリット２３に挿通し、次いで、台紙１２ｃの裏側からリング状綴じ片１７の折曲げ線１８の下方に形成される空間Ｍ内を通して、台紙１２ｃの表面側へ突出させる。
【００３２】
図６に示したように、リング状綴じ片１７を上方へ折り曲げると、リング状綴じ片１７の折曲げ線１８の下方に、舌片１９，１９の内幅を含めた空間Ｍが形成されるので、係止フック２１を、台紙１２ｃの表面側へ簡単に挿通することができる。
【００３３】
係止フック２１が空間Ｍを通って台紙１２ｃの表面側へ挿通されると、係止フック２１の幅は、舌片１９，１９の横幅分の長さを加えた長さＷ２よりも大きいので、幅の広い係止フック２１が鉤状舌片１９，１９の表面に突出して、台紙１２ｃの裏面側に抜け出ることなく、確実に連結することができる。
【００３４】
図１１は、リング状綴じ片１７の別の実施例であり、折曲げ線１８の両端に設けられる鉤状舌片１９の形状としては、上端を逆Ｕ字形としたものに限定されることはなく、縦型長方形としたものであってもよい。
【産業上の利用可能性】
【００３５】
本考案に係るカレンダーは、複数枚の紙葉を台紙に設けた紙製のリング状綴じ片により、接着剤や金具を一切用いることなく綴じることができ、また、リング状綴じ片の上端に、折り曲げ線の両端を延長するための円孔を開設しないので、円孔を開く作業や、除去した円孔がごみの発生源となるという問題を解消することができ、使用後に焼却処理しても、有害ガスを発生することがないので、この種の他製品に比較して信頼性の高いカレンダーとすることができる。
【図面の簡単な説明】
【００３６】
【図１】本考案のカレンダーの構成を示す一部切欠き斜視図。
【図２】図１のカレンダーを形成する台紙の平面図。
【図３】図１の組立てられたカレンダーの断面を示す側面図。
【図４】表台紙に設けられるリング状綴じ片の形状を示す拡大平面図。
【図５】リング状綴じ片の係止フックを紙葉及び裏台紙のスリット内へ挿入する時の手順を示す説明図。
【図６】リング状綴じ片を上方へ折り曲げたときに、綴じ片の下方にできる空間の態様を示す斜視図。
【図７】リング状綴じ片の舌片を裏台紙のスリットを通して、表台紙の綴じ片の下方にできる空間の外側へ突出させた形状の断面図。
【図８】本考案のカレンダーを壁掛け用に実施した場合の斜視図。
【図９】壁掛け用カレンダーにおける台紙の形状を示す平面図。
【図１０】壁掛け用カレンダーの断面を示す側面図。
【図１１】リング状綴じ片の別の形状を示す平面図。
【図１２】従来において知られるリング状綴じ片の形状を示す平面図。
【符号の説明】
【００３７】
１１：紙葉、
１２：台紙、
１２ａ：表台紙、
１２ｂ：裏台紙、
１３：折り線、
１４：折り線、
１５ａ：突片、
１５ｂ：止め孔、
１６ａ，１６ｂ：底板、
１７：リング状綴じ片、
１８：折曲げ線、
１９：鉤状舌片、
２０：切込み線、
２１：係止フック、
２２：係止スリット、
２３：スリット、
２４：係止フック突片
【図１】
0003122502.tif 000003
【図２】
0003122502.tif 000004
【図３】
0003122502.tif 000005
【図４】
0003122502.tif 000006
【図５】
0003122502.tif 000007
【図６】
0003122502.tif 000008
【図７】
0003122502.tif 000009
【図８】
0003122502.tif 000010
【図９】
0003122502.tif 000011
【図１０】
0003122502.tif 000012
【図１１】
0003122502.tif 000013
【図１２】
0003122502.tif 000014